(57)【特許請求の範囲】
【請求項１】
着信中に、着信音として、連続する一連の音である連続音を出力可能な通信装置であって、親子電話の子機として機能する通信装置において、
上記着信中に、上記着信の発信元に関する音声である発信元関連音声の音声データを親機から受信する音声受信部と、
上記音声受信部が上記音声データを受信したとき、上記発信元関連音声を出力する音声出力部と、
上記着信中に、上記連続音の再生を継続するとともに、上記音声出力部が上記発信元関連音声を出力中は、上記連続音を非可聴音とする着信音制御部と、を備え、
さらに、上記着信音として上記着信の呼出信号と同期するリンガー音を出力可能であり、
上記着信音制御部は、上記着信音として上記リンガー音を出力する場合、上記発信元関連音声を出力中は、上記呼出信号と同期するタイミングであっても上記リンガー音を出力せず、上記着信音として上記連続音を出力する場合と上記リンガー音を出力する場合とで、上記発信元関連音声を出力後に当該着信音を出力するタイミングを異ならせることを特徴とする通信装置。
【請求項２】
上記着信音制御部は、
上記着信音が上記連続音の場合、上記音声出力部が上記発信元関連音声を出力後、直ちに上記連続音を出力し、
上記着信音が上記リンガー音の場合、上記音声出力部が上記発信元関連音声を出力後、次の上記着信の呼出信号がオンとなったときに上記リンガー音を出力する、
ことを特徴とする請求項１に記載の通信装置。
【請求項３】
上記音声受信部は、上記着信の呼出信号がオフとなったとき、またはオフとなった後に、上記発信元関連音声を受信し、
上記着信音制御部は、上記呼出信号がオフとなったとき、上記連続音を上記非可聴音とすることを特徴とする請求項１または２に記載の通信装置。
【請求項４】
上記着信音制御部は、
上記音声出力部による上記発信元関連音声の出力中に加え、該発信元関連音声の出力の前および後の少なくとも一方の所定時間も、上記連続音を上記非可聴音とすることを特徴とする請求項１または３に記載の通信装置。
【請求項５】
外部の通信回線と直接接続するとともに、外部からの通信を、該通信回線と直接接続していない子機へ転送可能な親機と、該子機とを含む通信システムであって、
上記親機は、着信中に、着信音として、連続する一連の音である連続音を出力可能であり、
着信中に、着信の発信元に関する音声である発信元関連音声を出力する第１の音声出力部と、
上記発信元関連音声を上記第１の音声出力部が出力するときに、該発信元関連音声の音声データを上記子機へ送信する音声送信部と、を備え
上記子機は、着信中に、着信音として、連続する一連の音である連続音を出力可能であり、
上記着信中に、上記音声データを上記親機から受信する音声受信部と、
上記音声受信部が上記音声データを受信したとき、上記発信元関連音声を出力する第２の音声出力部と、
上記着信中に、上記連続音の再生を継続するとともに、上記第２の音声出力部が上記発信元関連音声を出力中は、上記連続音を非可聴音とする着信音制御部と、を備え、
さらに、上記着信音として上記着信の呼出信号と同期するリンガー音を出力可能であり、
上記着信音制御部は、上記着信音として上記リンガー音を出力する場合、上記第２の音声出力部が上記発信元関連音声を出力中は、上記呼出信号と同期するタイミングであっても上記リンガー音を出力せず、上記着信音として上記連続音を出力する場合と上記リンガー音を出力する場合とで、上記発信元関連音声を出力後に当該着信音を出力するタイミングを異ならせることを特徴とする通信システム。
【請求項６】
着信中に、着信音として、連続する一連の音である連続音を出力可能な通信装置であって、親子電話の子機として機能する通信装置の制御方法であって、
上記着信中に上記連続音を再生する連続音再生ステップと、
上記着信中に、上記着信の発信元に関する音声である発信元関連音声を親機から受信する音声受信ステップと、
上記音声受信ステップで上記発信元関連音声を受信したとき、該発信元関連音声を出力する音声出力ステップと、を含み、
上記音声出力ステップで上記発信元関連音声を出力中は、上記連続音再生ステップで再生している上記連続音の音量を非可聴音とし、
さらに、上記着信音として、上記連続音に代えて上記着信の呼出信号と同期するリンガー音を出力可能であり、
上記音声出力ステップで上記発信元関連音声を出力中は、上記呼出信号と同期するタイミングであっても上記リンガー音を出力せず、上記着信音として上記連続音を出力する場合と上記リンガー音を出力する場合とで、上記発信元関連音声を出力後に当該着信音を出力するタイミングを異ならせることを特徴とする通信装置の制御方法。
【請求項７】
外部の通信回線と直接接続するとともに、外部からの通信を、該通信回線と直接接続していない子機へ転送可能な親機と、該子機とを含む通信システムの制御方法であって、
上記親機において、
着信中に着信音として、連続する一連の音である連続音を再生する第１の連続音再生ステップと、
着信中に、発信元関連音声を出力する第１の音声出力ステップと、
上記発信元関連音声を上記第１の音声出力ステップで出力するときに、該発信元関連音声の音声データを上記子機へ送信する音声送信ステップと、を含み、
上記第１の音声出力ステップで上記発信元関連音声を出力中は、上記連続音再生ステップで再生している上記連続音を非可聴音とするととともに、
上記子機において、
着信中に上記連続音を再生する第２の連続音再生ステップと、
上記着信中に、上記発信元関連音声を親機から受信する音声受信ステップと、
上記音声受信ステップで上記発信元関連音声を受信したとき、該発信元関連音声を出力する音声出力ステップと、を含み、
上記音声出力ステップで上記発信元関連音声を出力中は、上記連続音再生ステップで再生している上記連続音を非可聴音とし、
さらに、上記着信音として、上記連続音に代えて上記着信の呼出信号と同期するリンガー音を出力可能であり、
上記音声出力ステップで上記発信元関連音声を出力中は、上記呼出信号と同期するタイミングであっても上記リンガー音を出力せず、上記着信音として上記連続音を出力する場合と上記リンガー音を出力する場合とで、上記発信元関連音声を出力後に当該着信音を出力するタイミングを異ならせることを特徴とする通信システムの制御方法。
【発明の詳細な説明】
【技術分野】
【０００１】
本発明は、連続する一連の音を着信音として出力する通信装置等に関する。
【背景技術】
【０００２】
従来から、電話機の着信音として、着信の呼出信号（例えば、ＣＩ（Call Indicator）信号）に同期させた鳴動音（いわゆるリンガー音）の他に、呼出信号とは同期しない鳴動音（いわゆるメロディー音）がある。様々なメロディー音を着信音として設定することにより、ユーザは、電話の着信そのものを楽しむことができる。
【０００３】
また、近年、テキストを音声として出力するＴＴＳ（Text to Speech）機能を備えた電話機も普及してきている。ＴＴＳ機能を備えることにより、よりユーザの利便性を高めることができる。例えば、ＴＴＳ機能を用いて、着信時に音声として発信者の情報を出力すれば、電話を受けたユーザは、電話に出る前に音声により電話の発信者を認識することができる。
【０００４】
例えば、特許文献１には、ベル入来の間隙をぬって発呼者情報を音声出力する電話装置が記載されている。
【０００５】
また、いわゆる親子電話システムでは、親機にのみ音声として出力するテキストデータ、およびテキストデータから音声データを生成するモジュールが搭載されており、子機では、音声として出力するテキストデータを自機に格納せず、親機から受信して出力している。
【先行技術文献】
【特許文献】
【０００６】
【特許文献１】特開２００２−１９９０８６号公報（２００２年７月１２日公開）
【発明の概要】
【発明が解決しようとする課題】
【０００７】
上述したように、親子電話システムにおける子機では、音声データを親機から受信し、そのまま、音声データの出力を行う。よって、音声データの出力のタイミングは親機と同じとなり、子機で制御することができない。したがって、子機において、連続する一連の音（連続音）を着信音として再生する場合、親機の着信音と着信音の出力タイミングが異なると、テキスト音声の出力と着信音（連続音）の出力とが重なり、ユーザがテキスト音声（例えば、発信者情報）を明確に認識できなくなる可能性がある。
【０００８】
本発明は、前記の問題点に鑑みてなされたものであり、その目的は、親子電話システムにおける子機において、着信音として、連続する一連の音を出力する場合、発信者情報を適切に音声出力することができる通信装置等を実現することにある。
【課題を解決するための手段】
【０００９】
上記の課題を解決するために、本発明に係る通信装置は、着信中に、着信音として、連続する一連の音である連続音を出力可能な通信装置であって、親子電話の子機として機能する通信装置において、上記着信中に、上記着信の発信元に関する音声である発信元関連音声の音声データを親機から受信する音声受信部と、上記音声受信部が上記音声データを受信したとき、上記発信元関連音声を出力する音声出力部と、上記着信中に、上記連続音の再生を継続するとともに、上記音声出力部が上記発信元関連音声を出力中は、上記連続音を非可聴音とする着信音制御部と、を備え、さらに、上記着信音として上記着信の呼出信号と同期するリンガー音を出力可能であり、上記着信音制御部は、上記着信音として上記リンガー音を出力する場合、上記発信元関連音声を出力中は、上記呼出信号と同期するタイミングであっても上記リンガー音を出力せず、上記着信音として上記連続音を出力する場合と上記リンガー音を出力する場合とで、上記発信元関連音声を出力後に当該着信音を出力するタイミングを異ならせる構成である。
【００１１】
また、上記の課題を解決するために、本発明に係る通信システムは、外部の通信回線と直接接続するとともに、外部からの通信を、該通信回線と直接接続していない子機へ転送可能な親機と、該子機とを含む通信システムであって、上記親機は、着信中に、着信音として、連続する一連の音である連続音を出力可能であり、着信中に、着信の発信元に関する音声である発信元関連音声を出力する第１の音声出力部と、上記発信元関連音声を上記第１の音声出力部が出力するときに、該発信元関連音声の音声データを上記子機へ送信する音声送信部と、を備え、上記子機は、着信中に、着信音として、連続する一連の音である連続音を出力可能であり、上記着信中に、上記音声データを上記通信装置から受信する音声受信部と、上記音声受信部が上記音声データを受信したとき、上記発信元関連音声を出力する第２の音声出力部と、上記着信中に、上記連続音の再生を継続するとともに、上記第２の音声出力部が上記発信元関連音声を出力中は、上記連続音を非可聴音とする着信音制御部と、を備え、さらに、上記着信音として上記着信の呼出信号と同期するリンガー音を出力可能であり、上記着信音制御部は、上記着信音として上記リンガー音を出力する場合、上記第２の音声出力部が上記発信元関連音声を出力中は、上記呼出信号と同期するタイミングであっても上記リンガー音を出力せず、上記着信音として上記連続音を出力する場合と上記リンガー音を出力する場合とで、上記発信元関連音声を出力後に当該着信音を出力するタイミングを異ならせる構成である。
【００１２】
また、上記の課題を解決するために、本発明に係る通信装置の制御方法は、着信中に、着信音として、連続する一連の音である連続音を出力可能な通信装置であって、親子電話の子機として機能する通信装置の制御方法であって、上記着信中に上記連続音を再生する連続音再生ステップと、上記着信中に、上記着信の発信元に関する音声である発信元関連音声を親機から受信する音声受信ステップと、上記音声受信ステップで上記発信元関連音声を受信したとき、該発信元関連音声を出力する音声出力ステップと、を含み、上記音声出力ステップで上記発信元関連音声を出力中は、上記連続音再生ステップで再生している上記連続音を非可聴音とし、さらに、上記着信音として、上記連続音に代えて上記着信の呼出信号と同期するリンガー音を出力可能であり、上記音声出力ステップで上記発信元関連音声を出力中は、上記呼出信号と同期するタイミングであっても上記リンガー音を出力せず、上記着信音として上記連続音を出力する場合と上記リンガー音を出力する場合とで、上記発信元関連音声を出力後に当該着信音を出力するタイミングを異ならせる方法である。
【００１３】
また、上記の課題を解決するために、本発明に係る通信システムの制御方法は、外部の通信回線と直接接続するとともに、外部からの通信を、該通信回線と直接接続していない子機へ転送可能な親機と、該子機とを含む通信システムの制御方法であって、上記親機において、着信中に上記連続音を再生する第１の連続音再生ステップと、着信中に、発信元関連音声を出力する第１の音声出力ステップと、上記発信元関連音声を上記音声出力部が出力するときに、該発信元関連音声の音声データを上記子機へ送信する音声送信ステップと、を含み、上記第１の音声出力ステップで上記発信元関連音声を出力中は、上記連続音再生ステップで再生している上記連続音を非可聴音とするととともに、上記子機において、着信中に上記連続音を再生する第２の連続音再生ステップと、上記着信中に、上記着信の発信元に関する音声である発信元関連音声を親機から受信する音声受信ステップと、上記音声受信ステップで上記発信元関連音声を受信したとき、該発信元関連音声を出力する音声出力ステップと、を含み、上記音声出力ステップで上記発信元関連音声を出力中は、上記連続音再生ステップで再生している上記連続音を非可聴音とし、さらに、上記着信音として、上記連続音に代えて上記着信の呼出信号と同期するリンガー音を出力可能であり、上記音声出力ステップで上記発信元関連音声を出力中は、上記呼出信号と同期するタイミングであっても上記リンガー音を出力せず、上記着信音として上記連続音を出力する場合と上記リンガー音を出力する場合とで、上記発信元関連音声を出力後に当該着信音を出力するタイミングを異ならせる方法である。
【発明の効果】
【００１４】
本発明によれば、音声データの受信時に発信元関連音声を出力するために、自装置で発信元関連音声の出力タイミングを制御できない場合であっても、発信元関連音声が出力されるときに、着信音である連続する一連の音（連続音）がユーザに聞こえるように出力されてしまうことを防止することができる。これにより、ユーザに対し、発信元関連音声を明確に認識させることができるという効果を奏する。
【図面の簡単な説明】
【００１５】
【図１】本実施形態に係る電話機（親機）、および電話機（子機）の要部構成を示すブロック図である。
【図２】上記電話機（親機）および電話機（子機）の概要を説明するための図である。
【図３】上記電話機（親機）のメロディー音制御部によるメロディー音の音量の調整タイミングを示す図である。
【図４】上記電話機（子機）のメロディー音制御部によるメロディー音の音量の調整タイミングを示す図である。
【図５】上記電話機（親機）における鳴動処理の流れを示すフローチャートである。
【図６】上記電話機（子機）における鳴動処理の流れを示すフローチャートである。
【図７】。本発明の別の実施形態に係る電話機（子機）のメロディー音の音量を戻す位置（再開位置）を説明するための図である。
【発明を実施するための形態】
【００１６】
〔実施形態１〕
〔概要〕
以下、本発明の実施の形態について図１〜図６を参照して詳細に説明する。まず、図２を参照して本実施形態の概要について説明する。図２は、本実施形態に係る電話機（親機）１および電話機（子機）２００の概要を説明するための図である。
【００１７】
本実施形態に係る親子電話システム（通信システム）は、電話機（親機）（通信装置）１および電話機（子機）（通信装置）２００を含む。電話機（親機）１は、着信音として、着信中に、ＣＩ信号と同期する鳴動音（以下、リンガー音とも呼ぶ）の他に、ＣＩ信号と同期しない鳴動音（以下、メロディー音とも呼ぶ）を出力することが可能なものである。すなわち、メロディー音とは、連続する一連の音（連続音）である。さらに、ＴＴＳ（Text to Speech）機能を有し、着信の発信元の情報を音声で出力可能なものである。また、電話機（子機）２００は、電話機（親機）１の子機として機能するものであり、電話機（親機）１と同様に、着信音として、着信中に、ＣＩ信号と同期する鳴動音（リンガー音）の他に、ＣＩ信号と同期しない鳴動音（メロディー音）を出力することが可能なものである。
【００１８】
そして、従来であれば、着信音としてメロディー音が設定され、ＴＴＳ機能によるテキスト音声出力を行う場合、メロディー音とテキスト音声出力とが重なって出力されていたところ、本実施形態では、図２に示すように、テキスト音声出力中は、メロディー音の音量とゼロ（ユーザが聞くことのできない音）とする。図２に示す例では、着信があったとき、メロディー音（着信音）が流れ、音声出力中（「○○さんから電話です」）は、メロディー音は流れない。
【００１９】
また、電話機（子機）２００においても、テキスト音声出力中は、メロディー音の音量とゼロとなり、着信があったとき、メロディー音（着信音）が流れ、音声出力中（「○○さんから電話です」）は、メロディー音は流れない。
【００２０】
さらに、本実施形態では、テキスト音声出力のためのＴＴＳ音声データ（テキストデータから生成された音声データ）を電話機（親機）１から電話機（子機）２００に送信し、電話機（子機）２００はＴＴＳ音声データが送信されたタイミングでテキスト音声出力を行うので、電話機（親機）１におけるテキスト音声出力と電話機（子機）２００におけるテキスト音声出力とのタイミングは同時（もしくは、ほぼ同時）となる。
【００２１】
これにより、従来では、出力された音声が、メロディー音と重なることにより聞き取り難かったところ、本実施形態に係る電話機（親機）１および電話機（子機）２００では、テキスト音声を聞き取り易くすることができる。
【００２２】
なお、本実施形態では、電話機（親機）１および電話機（子機）２００の例として、電話機を挙げて説明するが、本発明は電話機に限られるものではなく、子機を備えたファクシミリ装置であってもよい。また、外部装置からの着信を受け付け、その旨を報知する通信装置で子機を含むものであればどのようなものであってもよい。
【００２３】
また、本実施形態では、ＴＴＳ機能を用いて、着信の発信元の情報を音声で出力する構成を例に挙げて説明するが、本発明はこれに限られず、発信元の情報を音声で出力可能であれば、どのような構成により音声出力されてもよい。
【００２４】
〔電話機（親機）１の構成〕
次に、図１を参照して電話機（親機）１について説明する。図１は、電話機（親機）１、および電話機（子機）２００の要部構成を示すブロック図である。図１に示すように、電話機（親機）１は、制御部１０、記憶部２０、出力部３０、および音声入出力部４０を含む。
【００２５】
制御部１０は、電話機（親機）１における鳴動音の出力を制御する他、電話機（親機）１における各種処理を統括して制御するものであり、ＣＩ信号取得部１１および鳴動出力制御部１２を含む。なお、電話機（親機）１の電話機能については、公知技術を用いて実行可能であるので、その説明は省略する。
【００２６】
ＣＩ信号取得部１１は、着信を示す呼出信号であるＣＩ信号を取得し、ＣＩ信号のＯＮおよびＯＦＦを鳴動出力制御部１２に通知する。また、ＣＩ信号取得部１１は、ＣＩ信号を電話機（子機）２００に転送する。
【００２７】
鳴動出力制御部１２は、電話機（親機）１から出力する鳴動音（着信音）を制御するものであり、メロディー音制御部（着信音制御部）１３および出力音声制御部（音声出力部、音声送信部、第１の音声出力部）１４を含む。
【００２８】
メロディー音制御部１３は、着信時の鳴動音としてメロディー音が設定されている場合、記憶部２０に格納されている着信音データ（音声データ）２１を用いて、着信時にメロディー音を出力させるとともに、後述する出力音声制御部１４が音声出力を行っている間は、メロディー音の音量をゼロとする。すなわち、本実施形態では、音声出力中のためメロディー音が聞こえない状態であっても、メロディー音の再生自体は継続している。なお、メロディー音の音量調整のタイミングの詳細については後述する。
【００２９】
なお、本実施形態では、メロディー音制御部１３はメロディー音の音量をゼロする例を挙げて説明するが、音量をゼロとするのではなく、ユーザが聞くことのできない音量としてもよいし、ユーザが聞くことのできない周波数音とするものであってもよい。すなわち、ユーザが聞こえない音（非可聴音）であれば、どのようなものであってもよい。
【００３０】
出力音声制御部１４は、記憶部２０に格納されているＴＴＳデータ２２を用いて、テキストデータの音声出力（テキスト音声出力）を行う。本実施形態では、発信元の情報と対応付けられた情報（発信元関連音声）、例えば、発信者の名前のテキスト音声出力を行う。なお、発信元の情報の取得は、公知技術で可能であるので、その説明は省略する。
【００３１】
また、出力音声制御部１４は、テキスト音声出力する音声データを電話機（子機）２００に送信する。
【００３２】
また、出力音声制御部１４は、音声データを送信する所定時間前に、音声データの送信を予告する音声データ開始通知（予告通知）を電話機（子機）２００に送信する。また、出力音声制御部１４は、送信中の音声データの送信が完了する前に、音声データの送信が完了することを示す音声データ終了通知を送信する。
【００３３】
なお、予告通知の送信は必須ではなく、予告通知を送信することなく、音声データの送信（例えば、ブロードキャスト送信）を行い、電話機（子機）２００では、音声データが送信されたときに当該音声データを出力し、音声データが終了したとき（音声データの送信が終了したとき）、当該出力を終了する構成であってもよい。
【００３４】
記憶部２０は、電話機１で用いる各種データ等を格納するものであり、着信音データ２１およびＴＴＳデータ２２を含む。着信音データ２１は、メロディー音制御部１３によって出力されるメロディー音のデータである。また、ＴＴＳデータ２２は、出力音声制御部１４によって出力される音声のテキストデータである。
【００３５】
出力部３０は、鳴動出力制御部１２の制御に従い鳴動音を出力するものであり、例えばスピーカである。
【００３６】
音声入出力部４０は、通話中の相手方の音声を出力するとともに、ユーザの音声の入力を受け付けるものであり、例えば受話器である。
【００３７】
〔電話機（子機）２００の構成〕
次に、図１を参照して、電話機（子機）２００の要部構成について説明する。図１に示すように、電話機（子機）２００は、鳴動出力制御部２１２、記憶部２２０、出力部２３０、および音声入出力部２４０を含む。なお、電話機（親機）１と同様、電話機（子機）２００の電話機能についても、公知技術を用いて実行可能であるので、その説明は省略する。
【００３８】
鳴動出力制御部２１２は、電話機（子機）２００から出力する鳴動音（着信音）を制御するものであり、ＣＩ信号取得部２１１、メロディー音制御部（着信音制御部）２１３、出力音声制御部（音声出力部、第２の音声出力部）２１４、および音声データ取得部（音声受信部）２１５を含む。
【００３９】
ＣＩ信号取得部２１１は、着信を示す呼出信号であるＣＩ信号を電話機（親機）１から取得し、ＣＩ信号のＯＮおよびＯＦＦを鳴動出力制御部２１２に通知する。
【００４０】
メロディー音制御部２１３は、着信時の鳴動音としてメロディー音が設定されている場合、記憶部２２０に格納されている着信音データ２２１を用いて、着信時にメロディー音を出力させるとともに、後述する出力音声制御部２１４が音声出力を行っている間は、メロディー音の音量をゼロとする。すなわち、本実施形態では、音声出力中のためメロディー音が聞こえない状態であっても、メロディー音の再生自体は継続している。なお、メロディー音の音量調整のタイミングの詳細については後述する。
【００４１】
出力音声制御部２１４は、音声データ取得部２１５を介して取得した音声データの音声出力（テキスト音声出力）を行う。本実施形態では、発信元の情報と対応付けられた情報、例えば、発信者の名前のテキスト音声出力を行う。なお、発信元の情報の取得は、公知技術で可能であるので、その説明は省略する。
【００４２】
音声データ取得部２１５は、出力音声制御部２１４がテキスト音声出力を行うための音声データ（ＴＴＳ音声データ）を電話機（親機）１から取得し、出力音声制御部２１４に送信する。
【００４３】
記憶部２２０は、電話機（子機）２００で用いる各種データ等を格納するものであり、着信音データ２２１を含む。着信音データ２２１は、メロディー音制御部２１３によって出力されるメロディー音のデータである。
【００４４】
出力部２３０は、鳴動出力制御部２１２の制御に従い鳴動音を出力するものであり、例えばスピーカである。
【００４５】
音声入出力部２４０は、通話中の相手方の音声を出力するとともに、ユーザの音声の入力を受け付けるものであり、例えば受話器である。
【００４６】
〔メロディー音の音量調整のタイミングについて〕
次に、図３を参照して、電話機（親機）１のメロディー音制御部１３が実行するメロディー音の音量の調整タイミングについて説明する。図３は、電話機（親機）１のメロディー音制御部１３によるメロディー音の音量の調整タイミングを示す図である。
【００４７】
図３に示すように、電話機（親機）１では、ＣＩ信号を受信する（ＣＩ信号：ＯＮ）と、鳴動出力制御部１２は、着信音としてメロディー音の鳴動を開始する。そして、ＣＩ信号がＯＦＦとなったときに、出力音声制御部１４はテキストデータの音声出力を開始する。また、メロディー音制御部１３は、出力音声制御部１４によるテキストデータの音声出力の開始に合わせて、鳴動しているメロディー音の音量をゼロとする。したがって、本実施形態では、着信時に電話機からメロディー音が出力されるとともに、テキスト音声出力中はメロディー音の音量がゼロとなる。換言すれば、テキスト音声出力中は音声のみが出力されることになる。
【００４８】
これにより、出力されるテキスト音声を明確にユーザに認識させることができる。
【００４９】
次に、図４を参照して、電話機（子機）２００のメロディー音制御部２１３が実行するメロディー音の音量の調整タイミングについて説明する。図４は、電話機（子機）２００のメロディー音制御部２１３によるメロディー音の音量の調整タイミングを示す図である。
【００５０】
図４に示すように、電話機（子機）２００では、電話機（親機）１を介してＣＩ信号を受信する（ＣＩ信号：ＯＮ）と、鳴動出力制御部２１２は、着信音としてメロディー音の鳴動を開始する。
【００５１】
また、電話機（親機）１は、鳴動開始後、テキスト音声出力前に、テキスト音声の音声データを送信する旨を示す音声データ送信予告（開始通知）を電話機（子機）２００に送信する。電話機（子機）２００は、開始通知を受領後、
電話機（親機）１から音声データを受領したとき、鳴動しているメロディー音の音量をゼロとする。なお、音声データは、最初の所定時間（例えば、１秒）、無音であってもよい。
【００５２】
そして、音声データの受信が完了する前に、電話機（子機）２００は、電話機（親機）１から音声データが終了する旨を示す終了通知を受信する。電話機（子機）２００は、終了通知を受信後、音声データの受信が終了し、ＣＩ信号がオンとなるとメロディー音の音量を元に戻す。
【００５３】
これにより、電話機（子機）２００においても、着信時に電話機からメロディー音が出力されるとともに、テキスト音声出力中はメロディー音の音量がゼロとなる。換言すれば、テキスト音声出力中は音声のみが出力されることになる。また、テキスト音声出力中は、メロディー音の音量を元に戻さないので、テキスト音声出力中にＣＩ信号のオン、オフがあったとしても、メロディー音の音量はゼロのままである。
【００５４】
したがって、出力されるテキスト音声を明確にユーザに認識させることができる。
【００５５】
なお、電話機（子機）２００において、設定されている着信音がメロディー音ではなく、ＣＩ信号と同期するリンガー音であったとしても、同様の処理で、テキスト音声出力中は音声のみが出力されることになる。
【００５６】
また、上記では、ＣＩ信号がオフとなった後、所定時間経過後からテキスト音声出力を開始したが、テキスト音声出力は、ＣＩ信号がオフとなったときであってもよい。また、この場合、音声データの受領とトリガーとして、メロディー音の音量をゼロとしてもよい。
【００５７】
〔電話機１における処理の流れ〕
次に、図５を参照して、電話機（親機）１における鳴動処理の流れについて説明する。図５は、電話機１における鳴動処理の流れを示すフローチャートである。
【００５８】
図５に示すように、電話機（親機）１は、まず、着信を受け付けると（Ｓ１０１）、鳴動出力制御部１２は鳴動処理を開始する（Ｓ１０２）。また、着信があった旨を電話機（子機）２００に通知する（Ｓ１０３）。そして、メロディー音制御部１３にメロディー音を出力させる（Ｓ１０４、第１の連続音再生ステップ）。
【００５９】
次に、出力音声制御部１４は、ＣＩ信号がオフとなったとき、ＴＴＳデータ２２を用いてテキスト音声出力を行う（Ｓ１０５でＹＥＳ、第１の音声出力ステップ）。また、出力音声制御部１４は、テキスト音声出力を行う音声データを電話機（子機）２００に送信する（Ｓ１０６、音声送信ステップ）。
【００６０】
また、出力音声制御部１４によるテキスト音声出力に合わせ、メロディー音制御部１３は、メロディー音の音量をゼロとする（Ｓ１０７）。
【００６１】
そして、メロディー音制御部１３は、出力音声制御部１４によるテキスト音声出力が終了すると（Ｓ１０８でＹＥＳ）、メロディー音の音量を元に戻す（Ｓ１０９）。
【００６２】
その後、着信が切れる（Ｓ１１０）まで、または、ユーザが応答する（Ｓ１１１）まで、ステップＳ１０５〜ステップＳ１０９を繰り返す。
【００６３】
そして、着信が切れた場合（Ｓ１１０でＹＥＳ）、またはユーザが応答した場合（Ｓ１１１でＹＥＳ）、鳴動出力制御部１２は鳴動処理を終了する（Ｓ１１２）。
【００６４】
また、ステップＳ１０５でテキスト音声出力を行っていない場合（Ｓ１０５でＮＯ）、ステップＳ１１０に進む。
【００６５】
〔電話機（子機）２００における処理の流れ〕
次に、図６を参照して、電話機（子機）２００における鳴動処理の流れについて説明する。図６は、電話機（子機）２００における鳴動処理の流れを示すフローチャートである。
【００６６】
図６に示すように、電話機（子機）２００は、まず、着信を受け付けると（Ｓ２０１）、鳴動出力制御部２１２は、鳴動処理を開始する（Ｓ２０２）。そして、メロディー音制御部２１３にメロディー音を出力させる（Ｓ２０３、第２の連続音再生ステップ）。
【００６７】
そして、電話機（親機）１から音声データを受信すると、出力音声制御部２１４は音声データを出力する（Ｓ２０４でＹＥＳ、音声受信ステップ、音声出力ステップ）。また、出力音声制御部２１４による音声データの出力に合わせ、メロディー音制御部２１３は、メロディー音の音量をゼロとする（Ｓ２０５）。なお、音声データには、最初の所定時間（例えば、１秒）に無音区間があってもよい。
【００６８】
そして、メロディー音制御部２１３は、出力音声制御部２１４による音声データの出力が終了すると（Ｓ２０６でＹＥＳ）、メロディー音の音量を元に戻す（Ｓ２０７）。
【００６９】
その後、着信が切れる（Ｓ２０８）まで、または、ユーザが応答する（Ｓ２０９）まで、ステップＳ２０４〜ステップＳ２０７を繰り返す。
【００７０】
そして、着信が切れた場合（Ｓ２０８でＹＥＳ）、またはユーザが応答した場合（Ｓ２０９でＹＥＳ）、鳴動出力制御部１２は鳴動処理を終了する（Ｓ２１０）。
【００７１】
また、ステップＳ２０４で音声データを受信していない場合（Ｓ２０４でＮＯ）、ステップＳ２０８に進む。
【００７２】
〔実施形態２〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。図７は、本実施形態における電話機（子機）２００のメロディー音の音量を戻す位置（再開位置）を説明するための図である。
【００７３】
本実施形態では、電話機（親機）１がＣＩ信号と同期するリンガー音を着信音として鳴動し、電話機（子機）２００はメロディー音を着信音として鳴動する場合である。
【００７４】
従来、親子電話において、子機は、親機から音声データを受信したタイミングでテキスト音声を出力していた。よって、着信音とテキスト音声出力とのタイミングを適切にするためには、親機と子機とで着信音を統一する必要があった。
【００７５】
本実施形態では、親機と子機とで着信音が異なる場合（親機がリンガー音で、子機がメロディー音）であっても、子機において適切なタイミングで着信音の出力とテキスト音声の出力とを行うことができるものである。
【００７６】
図７に示すように、電話機（親機）１と電話機（子機）２００とで、着信音が同じ場合、例えばリンガー音の場合であれば、リンガー音を出力するタイミング、およびテキスト音声出力のタイミングは同様である。また、テキスト音声の音声データの長さが、ＣＩ信号の周期を超える場合、テキスト音声の出力終了後、次にＣＩ信号がオンとなったときに、リンガー音の出力を開始する。
【００７７】
また、図７に示すように、電話機（子機）２００における着信音がメロディー音の場合は、テキスト音声の出力終了後、次のＣＩ信号がオンとなる時を待たずに、直ちにメロディー音の音量を元に戻す。または、所定時間（例えば、１秒）経過後、メロディー音の音量を元に戻す。
【００７８】
これにより、電話機（子機）２００の着信音がリンガー音の場合であれば無音となってしまう部分であっても、メロディー音を出力することできる。よって、ユーザに対し、より長時間、メロディー音を楽しませることができる。
【００７９】
〔実施形態３〕
（ソフトウェアによる実現例）
電話機（親機）１および電話機（子機）２００の制御ブロック（特に、ＣＩ信号取得部１１、鳴動出力制御部１２、メロディー音制御部１３、出力音声制御部１４、ＣＩ信号取得部２１１、鳴動出力制御部２１２、メロディー音制御部２１３、出力音声制御部２１４、および音声データ取得部２１５）は、集積回路（ＩＣチップ）等に形成された論理回路（ハードウェア）によって実現してもよいし、ＣＰＵ（Central Processing Unit）を用いてソフトウェアによって実現してもよい。
【００８０】
後者の場合、電話機（親機）１、および電話機（子機）２００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８１】
〔まとめ〕
本発明の態様１に係る通信装置（電話機（子機）２００）は、着信中に、着信音として、連続する一連の音である連続音を出力可能な通信装置であって、親子電話の子機として機能する通信装置において、上記着信中に、上記着信の発信元に関する音声である発信元関連音声の音声データを親機から受信する音声受信部（音声データ取得部２１５）と、上記音声受信部が上記音声データを受信したとき、上記発信元関連音声を出力する音声出力部（出力音声制御部２１４）と、上記着信中に、上記連続音の再生を継続するとともに、上記音声出力部が上記発信元関連音声を出力中は、上記連続音を非可聴音とする着信音制御部（メロディー音制御部２１３）と、を備えている構成である。
【００８２】
上記の構成によれば、音声データの受信時に発信元関連音声を出力するために、自装置で発信元関連音声の出力タイミングを制御できない場合であっても、発信元関連音声が出力されるときに、着信音である連続する一連の音（連続音）がユーザに聞こえるように出力されてしまうことを防止することができる。これにより、ユーザに対し、発信元関連音声を明確に認識させることができる。
【００８３】
本発明の態様２に係る通信装置は、上記の態様１において、上記着信音として呼出信号と同期するリンガー音を出力可能であり、上記着信音制御部は、上記着信音として上記リンガー音を出力する場合、上記発信元関連音声の出力中は、上記呼出信号と同期するタイミングであっても上記リンガー音を出力しない構成としてもよい。
【００８４】
上記の構成によれば、音声出力中は、リンガー音を出力しないので、呼出信号と同期するリンガー音を着信音として出力する場合に、リンガー音と発信元関連音声とが重畳して出力されてしまうことを防止することができる。よって、ユーザに対し、発信元関連音声を明確に認識させることができる。なお、呼出信号とは、例えば、ＣＩ（Call Indicator）信号である。
【００８５】
本発明の態様３に係る通信装置は、上記の態様１または２において、上記音声受信部は、呼出信号がオフとなったとき、またはオフとなった後に、上記発信元関連音声を受信し、上記着信音制御部は、上記呼出信号がオフとなったとき、上記連続音を上記非可聴音とする構成としてもよい。
【００８６】
上記の構成によれば、呼出信号を用いて連続音を上記非可聴音とするタイミングを制御することができる。
【００８７】
本発明の態様４に係る通信装置は、上記の態様１〜３のいずれか１項において、上記着信音制御部は、上記音声出力部による上記発信元関連音声の出力中に加え、該発信元関連音声の出力の前および後の少なくとも一方の所定時間も、上記連続音を上記非可聴音とする構成としてもよい。
【００８８】
上記の構成によれば、発信元関連音声の出力の前および後の少なくとも一方も所定時間、連続音が上記非可聴音となるので、発信元関連音声を着信音である連続音と明確に区別して認識することができる。
【００８９】
本発明の態様５に係る通信装置（電話機（親機）１）は、外部の通信回線と直接接続するとともに、外部からの通信を、該通信回線と直接接続していない子機へ転送可能な通信装置であって、親子電話の親機のとして機能する通信装置において、着信中に、着信の発信元に関する音声である発信元関連音声を出力する音声出力部（出力音声制御部１４）と、上記発信元関連音声を上記音声出力部が出力するときに、該発信元関連音声の音声データを上記子機へ送信する音声送信部（出力音声制御部１４）と、を備えている構成である。
【００９０】
上記の構成によれば、発信元関連音声を出力するとともに、子機へ発信元関連音声の音声データを送信する。これにより、子機において、音声データを受信し、音声データを受信したときに発信元関連音声を出力させることができる。
【００９１】
本発明の態様６に係る通信システムは、外部の通信回線と直接接続するとともに、外部からの通信を、該通信回線と直接接続していない子機へ転送可能な親機と、該子機とを含む通信システムであって、上記親機は、着信中に、着信音として、連続する一連の音である連続音を出力可能であり、着信中に、着信の発信元に関する音声である発信元関連音声を出力する第１の音声出力部と、上記発信元関連音声を上記第１の音声出力部が出力するときに、該発信元関連音声の音声データを上記子機へ送信する音声送信部と、を備え上記子機は、着信中に、着信音として、連続する一連の音である連続音を出力可能であり、上記着信中に、上記音声データを上記親機から受信する音声受信部と、上記音声受信部が上記音声データを受信したとき、上記発信元関連音声を出力する第２の音声出力部と、上記着信中に、上記連続音の再生を継続するとともに、上記第２の音声出力部が上記発信元関連音声を出力中は、上記連続音を非可聴音とする着信音制御部と、を備えている構成である。
【００９２】
上記の構成によれば、上述した態様1と同様の効果を奏する。
【００９３】
本発明の態様７に係る通信装置の制御方法は、着信中に、着信音として、連続する一連の音である連続音を出力可能な通信装置であって、親子電話の子機として機能する通信装置の制御方法であって、上記着信中に上記連続音を再生する連続音再生ステップと、上記着信中に、上記着信の発信元に関する音声である発信元関連音声を親機から受信する音声受信ステップと、上記音声受信ステップで上記発信元関連音声を受信したとき、該発信元関連音声を出力する音声出力ステップと、を含み、上記音声出力ステップで上記発信元関連音声を出力中は、上記連続音再生ステップで再生している上記連続音を非可聴音とする方法である。
【００９４】
上記の方法によれば、上述した態様1と同様の効果を奏する。
【００９５】
本発明の態様８に係る通信システムの制御方法は、外部の通信回線と直接接続するとともに、外部からの通信を、該通信回線と直接接続していない子機へ転送可能な親機と、該子機とを含む通信システムの制御方法であって、上記親機において、着信中に着信音として、連続する一連の音である連続音を再生する第１の連続音再生ステップと、着信中に、発信元関連音声を出力する第１の音声出力ステップと、上記発信元関連音声を上記第１の音声出力ステップで出力するときに、該発信元関連音声の音声データを上記子機へ送信する音声送信ステップと、を含み、上記第１の音声出力ステップで上記発信元関連音声を出力中は、上記連続音再生ステップで再生している上記連続音を非可聴音とするととともに、上記子機において、着信中に上記連続音を再生する第２の連続音再生ステップと、上記着信中に、上記発信元関連音声を親機から受信する音声受信ステップと、上記音声受信ステップで上記発信元関連音声を受信したとき、該発信元関連音声を出力する音声出力ステップと、を含み、上記音声出力ステップで上記発信元関連音声を出力中は、上記連続音再生ステップで再生している上記連続音を非可聴音とする方法である。
【００９６】
上記の方法によれば、上述した態様1と同様の効果を奏する。
【００９７】
本発明の各態様に係る通信装置は、コンピュータによって実現してもよく、この場合には、コンピュータを上記通信装置が備える各部（ソフトウェア要素）として動作させることにより上記通信装置をコンピュータにて実現させる通信装置の制御プログラム、およびそれを記録したコンピュータ読み取り可能な記録媒体も、本発明の範疇に入る。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９９】
１  電話機（親機）（通信装置）
１０  制御部
１１  ＣＩ信号取得部
１２  鳴動出力制御部
１３  メロディー音制御部
１４  出力音声制御部（音声出力部、音声送信部、第１の音声出力部）
２０  記憶部
２１  着信音データ
２２  ＴＴＳデータ
３０  出力部
４０  音声入出力部
２００  電話機（子機）（通信装置）
２１１  ＣＩ信号取得部
２１２  鳴動出力制御部
２１３  メロディー音制御部（着信音制御部）
２１４  出力音声制御部（音声出力部、第２の音声出力部）
２１５  音声データ取得部（音声受信部）
２３０  出力部
２４０  音声入出力部
【図１】
0006719989.tif 000002
【図２】
0006719989.tif 000003
【図３】
0006719989.tif 000004
【図４】
0006719989.tif 000005
【図５】
0006719989.tif 000006
【図６】
0006719989.tif 000007
【図７】
0006719989.tif 000008